(57)【要約】      （修正有）【課題】型枠と型枠支持部材に配置したアングル部材の型枠支持部が面接触し、型枠支持部材と型枠間の空隙をなくして安定的に型枠を支持し、型枠組み立て作業及び型枠解体作業が容易で短時間の作業で済む型枠支保工を提供する。【解決手段】アングル部材装着開口は、両側面が一対のアングル部材の型枠支持部８ａの裏面が面接触するアングル部材支持部６ａと一対の脚部８ｂが挿入される脚部挿入部６ｂとからなり、一対のアングル部材をアングル部材装着開口に装着すると脚部８ｂ間に固定ボルト９が挿入可能な空隙が形成され、一対のアングル部材の型枠支持部８ａに型枠１１を面接触させ、固定ボルト９を型枠１１、一対のアングル部材の脚部８ｂ間の空隙及び型枠支持部材１の固定ボルト挿通孔に挿入してナットを螺着して型枠１１、アングル部材及び型枠支持部材１を一体に固定する。【選択図】図８
2015221981.tif 000002
【特許請求の範囲】
【請求項１】
前面、後面及び両側面からなる断面矩形の中空部材の前面及び両側面にアングル部材装着開口を形成し、後面に固定ボルト挿通孔を形成した型枠支持部材と、
型枠と面接触する型枠支持部と脚部を有し、前記型枠支持部材のアングル部材装着開口に装着される一対の断面略Ｌ字形のアングル部材と、
型枠、アングル部材及び型枠支持部材を一体に固定する固定ボルトと、
を備え、
前記アングル部材装着開口は、両側面が一対のアングル部材の型枠支持部の裏面が面接触するアングル部材支持部と一対の脚部が挿入される脚部挿入部とからなり、前記一対のアングル部材をアングル部材装着開口に装着すると脚部間に固定ボルトが挿入可能な空隙が形成され、前記一対のアングル部材の型枠支持部に型枠を面接触させ、固定ボルトを型枠、一対のアングル部材の脚部間の空隙及び型枠支持部材の固定ボルト挿通孔に挿入してナットを螺着して型枠、アングル部材及び型枠支持部材を一体に固定することを特徴とする型枠支保工。
【請求項２】
前記一対のアングル部材の型枠支持部の形状を型枠の形状に応じて型枠と面接触する平面又は曲面とし、アングル部材装着開口の両側面の形状を型枠支持部が面接触する形状とすることを特徴とする請求項１に記載の型枠支保工。
【請求項３】
前記型枠支持部材に一定間隔を開けて複数のアングル部材装着開口及び固定ボルト挿通孔を形成することを特徴とする請求項１又は２に記載の型枠支保工。
【発明の詳細な説明】
【技術分野】
【０００１】
本発明は、コンクリート構造物を構築する際に使用する型枠を支持する型枠支保工に関する。
【背景技術】
【０００２】
コンクリート構造物を構築する際、構築するコンクリート構造物の周囲に支持部材で支持された型枠を配置する。その後、型枠で囲まれた空間にコンクリートモルタルを打設し、コンクリートの硬化後、脱型してコンクリート構造物が構築される。これらの型枠を支持する構造を型枠支保工という。
【０００３】
従来の型枠支保工は、支持部材と、支持部材に対して直交する方向に伸びる桟木を介して型枠を支持していた。
【先行技術文献】
【特許文献】
【０００４】
【特許文献１】特開２００２−３６４１７０号公報
【発明の概要】
【発明が解決しようとする課題】
【０００５】
しかしながら、従来の型枠支保工は、型枠は桟木と接触して支持されるので、型枠と支持部材間には桟木の厚みだけ空隙が形成される。型枠と支持部材間の空隙は、型枠内にコンクリートモルタルを打設する際、コンクリートモルタルの圧力により空隙部に対応する型枠が変形する恐れがある。また、従来の型枠支保工は、組み立て、脱型後の解体に時間を要するという問題があった。
【０００６】
本発明は、従来技術の持つ課題を解決するもので、型枠と型枠支持部材に配置したアングル部材の型枠支持部が面接触し、型枠支持部材と型枠間の空隙をなくして安定的に型枠を支持し、型枠組み立て作業及び型枠解体作業が容易で短時間の作業で済む型枠支保工を提供することを目的とする。
【課題を解決するための手段】
【０００７】
本発明の型枠支保工は、前記課題を解決するために、前面、後面及び両側面からなる断面矩形の中空部材の前面及び両側面にアングル部材装着開口を形成し、後面に固定ボルト挿通孔を形成した型枠支持部材と、型枠と面接触する型枠支持部と脚部を有し、前記型枠支持部材のアングル部材装着開口に装着される一対の断面略Ｌ字形のアングル部材と、型枠、アングル部材及び型枠支持部材を一体に固定する固定ボルトと、を備え、前記アングル部材装着開口は、両側面が一対のアングル部材の型枠支持部の裏面が面接触するアングル部材支持部と一対の脚部が挿入される脚部挿入部とからなり、前記一対のアングル部材をアングル部材装着開口に装着すると脚部間に固定ボルトが挿入可能な空隙が形成され、前記一対のアングル部材の型枠支持部に型枠を面接触させ、固定ボルトを型枠、一対のアングル部材の脚部間の空隙及び型枠支持部材の固定ボルト挿通孔に挿入してナットを螺着して型枠、アングル部材及び型枠支持部材を一体に固定することを特徴とする。
【０００８】
また、本発明の型枠支保工は、前記一対のアングル部材の型枠支持部の形状を型枠の形状に応じて型枠と面接触する平面又は曲面とし、アングル部材装着開口の両側面の形状を型枠支持部が面接触する形状とすることを特徴とする。
【０００９】
また、本発明の型枠支保工は、前記型枠支持部材に一定間隔を開けて複数のアングル部材装着開口及び固定ボルト挿通孔を形成することを特徴とする。
【発明の効果】
【００１０】
前面、後面及び両側面からなる断面矩形の中空部材の前面及び両側面にアングル部材装着開口を形成し、後面に固定ボルト挿通孔を形成した型枠支持部材と、型枠と面接触する型枠支持部と脚部を有し、前記型枠支持部材のアングル部材装着開口に装着される一対の断面略Ｌ字形のアングル部材と、型枠、アングル部材及び型枠支持部材を一体に固定する固定ボルトと、を備え、前記アングル部材装着開口は、両側面が一対のアングル部材の型枠支持部の裏面が面接触するアングル部材支持部と一対の脚部が挿入される脚部挿入部とからなり、前記一対のアングル部材をアングル部材装着開口に装着すると脚部間に固定ボルトが挿入可能な空隙が形成され、前記一対のアングル部材の型枠支持部に型枠を面接触させ、固定ボルトを型枠、一対のアングル部材の脚部間の空隙及び型枠支持部材の固定ボルト挿通孔に挿入してナットを螺着して型枠、アングル部材及び型枠支持部材を一体に固定することで、型枠と面接触するアングル部材が直接型枠支持部材に固定されるので型枠の支持が確実に実施され、組み立て、解体が容易で部品点数が少なく価格的にも安価な型枠支保とすることが可能となる。
一対のアングル部材の型枠支持部の形状を型枠の形状に応じて型枠と面接触する平面又は曲面とし、アングル部材装着開口の両側面の形状を型枠支持部が面接触する形状とすることで、型枠の形状の変化に拘わらず型枠の形状に応じたアングル部材の型枠支持部により型枠と面接触することが可能となる。
型枠支持部材に一定間隔を開けて複数のアングル部材装着開口及び固定ボルト挿通孔を形成することで、大型のコンクリート構造物用の型枠にも対応することが可能となる。
【図面の簡単な説明】
【００１１】
【図１】（ａ）（ｂ）（ｃ）本発明の実施形態を示す図である。
【図２】（ａ）（ｂ）本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】（ａ）（ｂ）本発明の実施形態を示す図である。
【発明を実施するための形態】
【００１２】
本発明の型枠支保工について図面で説明する。図１（ａ）は、型枠支保工に用いる型枠支持部材１の垂直切断面図であり、図１（ｂ）は、型枠支持部材１の正面図であり、図１（ｃ）は、図１（ａ）のＡ−Ａ線切断面図である。
【００１３】
型枠支持部材１は、前面２、後面３、側面４、５からなる断面矩形で中空の部材である。型枠支持部材１の材質としては、ある程度の強度を有するのであればどのよう材質でも良いが、入手が容易で成形が容易な鉄、アルミ、アルミ合金又は強化樹脂が望ましい。さらに、作業の効率性から見て軽量の強化樹脂製とするのが望ましい。
【００１４】
型枠支持部材１の前面２と両側面４，５にアングル部材装着開口６が形成され、後面３には固定ボルト挿通孔７が形成される。アングル部材装着開口６と固定ボルト挿通孔７は、型枠支持部材１に一定間隔をあけて複数形成しても良い。
【００１５】
図２（ａ）は、型枠支保工に用いる一対のアングル部材８、８の断面図であり、図２（ｂ）は平面図である。アングル部材８は、型枠支持部８ａと脚部８ｂからなる断面略Ｌ字形の部材である。一対のアングル部材８、８は、脚部８ｂに対して型枠支持部８ａが逆向きになるようにアングル部材装着開口６に装着される。アングル部材８の材質は、ある程度の強度を有するのであればどのよう材質でも良いが、入手が容易で成形が容易な鉄、アルミ、アルミ合金又は強化樹脂が望ましい。さらに、作業の効率性から見て軽量の強化樹脂製とするのが望ましい。
【００１６】
図３は、型枠支持部材１のアングル部材装着開口６に一対のアングル部材８，８を装着した正面図であり、図４は、垂直切断面図である。図１（ａ）に示されるように、アングル部材装着開口６は、両側面５，５に一対のアングル部材８の型枠支持部８ａと面接触するアングル部材支持部６ａと、一対のアングル部材８の脚部８ｂが挿入される脚部挿入部６ｂが形成される。アングル部材装着開口６の型枠支持部８ａが平面の場合、
【００１７】
一対のアングル部材８の型枠支持部８ａが型枠支持部材１に対して直交する方向に伸びるように一対の脚部８ｂをアングル部材装着開口６に挿入する。アングル部材装着開口６のアングル部材支持部６ａは、平面状の型枠１１と面接触するように平面の場合、アングル部材支持部６ａの表面から型枠支持部材１の前面２表面までの距離をアングル部材８の型枠支持部８ａの厚みと同じにする。そうすることで、アングル部材８の型枠支持部８ａ表面と型枠支持部材１の前面２が面一になり、アングル型枠部材８の型枠支持部８ａと面接触する型枠１０は、型枠支持部材１の前面２にも面接触する。
【００１８】
一対のアングル部材８の脚部８ｂがアングル部材装着開口６の脚部挿入部６ｂに挿入される。脚部挿入部６ｂの深さは、アングル部材８の型枠支持部８ａから脚部８ｂの先端までの長さとほぼ同じにする。脚部挿入部６ｂの幅は、挿入された一対の脚部８ｂ、８ｂの間には固定ボルト９が挿通可能な空隙が形成されるように設定される。
【００１９】
図５は、アングル部材８の他の実施形態を示す図である。型枠１１が曲面形状の場合、アングル部材８の型枠支持部８ａは、曲面形状の型枠１１と面接触するために曲面形状に曲げ加工される。
【００２０】
図６は、アングル部材８の型枠支持部８ａが曲面の場合の型枠支持部材１のアングル部材装着開口６の実施形態を示す図である。アングル部材装着開口６のアングル部材支持部６ａは、曲面状の型枠支持部８ａの裏面と面接触するための曲面状に形成される。
【００２１】
図７は、型枠支持部材１に型枠１１を固定するための固定ボルト９及びナット１０を示す図である。固定ボルト９は、雌ねじ部９ａと雌ねじ部９ａより大径な頭部９ｂにより構成される。固定ボルト９の雌ねじ部９ａを、型枠１１に形成した固定ボルト用穴、アングル部材装着開口６の脚部挿入部６ｂの脚部８ｂ、８ｂ間の間隙、型枠支持部材１の固定ボルト挿通孔７に挿入し、雌ねじ部９ａにナット１０を螺着して締め付け、型枠１１、一対のアングル部材８，８及び型枠支持部材１を一体に固定する。
【００２２】
図８（ａ）（ｂ）は、平面形状の型枠１１をアングル部材８が装着された型枠支持部材１に固定した状態を示す垂直切断面図と水平設断面図である。図４に示される一対のアングル部材８，８が型枠支持部材１のアングル部材装着開口６に装着され、平面形状の型枠１１がアングル部材８の型枠支持部８ａに面接触させる。型枠１１には固定ボルト挿通孔が形成されており、固定ボルト９の雌ねじ部９ａを型枠１１に形成された固定ボルト挿通孔、アングル部材装着開口６に装着された一対のアングル部材８，８の脚部８ｂ、８ｂ間の空隙及び型枠支持部材１の後面３に形成された固定ボルト挿通孔７に挿入する。その後、型枠支持部材１の後面３から突き出した固定ボルト９の雌ねじ部９ａにナット１０を螺着して締め付け、型枠、アングル部材及び型枠支持部材１を強固に一体化する。
【００２３】
図８（ａ）に示すように、型枠支持部材１に所定間隔をおいて複数のアングル部材装着開口６を形成し、各アングル部材装着開口６にアングル部材８を装着する大型の型枠１１の型枠支保工とする場合、型枠１１と型枠支持部材１の連結をより強固にするため、アングル部材８の装着個所以外の個所で、型枠１１と型枠支持部材１を固定ボルト９及びナット１０で固定する。図８（ａ）（ｂ）に示す実施形態では、平面形状の型枠１１の型枠支保工で説明したが、曲面形状の型枠１１の場合も、図５、図６に示されるアングル部材８とアングル部材装着開口６を用いて同様に実施する。
【００２４】
以上のように、本発明の型枠支保工は、組み立てが容易で、型枠と面接触して支持するので型枠の支持が確実であり、どのような形状のコンクリート構造物構築用型枠でも支持することができる。また、型枠の規模の大小に拘わらず適用することが可能である。さらに、本発明の型枠支保工は部品点数が少なく、入手が容易で、かつ成形も容易で安価な材料で形成されているため、低価格の型枠工事を実施することが可能となる。
【符号の説明】
【００２５】
１：型枠支持部材、２：前面、３：後面、４：側面、５：側面、６：アングル部材装着開口、６ａ：アングル部材支持部、６ｂ：脚部挿入部、７：固定ボルト挿通孔、８：アングル部材、８ａ：型枠支持部、８ｂ：脚部、９：固定ボルト、９ａ：雌ねじ部、９ｂ：頭部、１０：ナット、１１：型枠
【図１】
2015221981.tif 000003
【図２】
2015221981.tif 000004
【図３】
2015221981.tif 000005
【図４】
2015221981.tif 000006
【図５】
2015221981.tif 000007
【図６】
2015221981.tif 000008
【図７】
2015221981.tif 000009
【図８】
2015221981.tif 000010